(57)【要約】【課題】  親扉と子扉の自由側端縁間の隙間量を調節すると共に、その調整量を長期にわたって安定に保持する。【解決手段】  親扉の自由側端縁部に装着する箱状のトロヨケ１４と、個のトロヨケの開口を覆うように装着されたストライク板１５と、トロヨケ１４及びストライク板１５との間の空間に収納された調整枠１９と、この調整枠１９に抱持される調整ブロック２４とを有し、調整枠の上下に形成された箱状部分をその外面を当接面２２としてストライク板１５に開口した出し入れ孔に前後方向に移動可能に案内し、調整枠１９の側板間に架設された係合ピン２３を調整ブロックのカム孔２５に係合させ、調整ねじ３２を緩めて調整ブロック２４を上下させることにより、調整枠を前後方向に動かす。【選択図】  図４
2007327233.tif 000002
【特許請求の範囲】
【請求項１】
一面が開口した縦長の箱状体で、その開口を子扉側に向けて親扉の自由側端縁部に埋設されたトロヨケと、このトロヨケの開口を覆うように親扉の自由側端縁部に装着された板状体で、その両端部に夫々出し入れ孔を開口させると共に、これら一対の出し入れ孔の間の部分に縦長のねじ孔を開口させたストライク板と、一面が開口し、その開口をトロヨケの底面に向けてトロヨケ内に収納された箱状の枠体で、その背面中央部を切欠き、その切欠部の上下の開口端縁を内側に切り起こして一対の係止板を形成すると共に、この係止板の上下の箱状の部分をストライクの出し入れ孔から出没できるように各部の寸法を設定し、また、上記係止板の上下の箱状の部分の外面を両開扉錠の可動接触子との当接面とした調整枠と、この調整枠の上下の部分を水平に貫通するようにして、調整枠の側板間に架設された一対の係合ピンと、上記調整枠の内側に収納された縦長のブロック体で、外面側に上記係止板と係合する複数対の段部をトロヨケの深さ方向の寸法を違えて形成すると共に、上下方向における中央部にトロヨケの深さ方向に延在する雌ねじ孔を形成した調整ブロックと、ストライク板のねじ孔を挿通して調整ブロックの雌ねじ孔に螺合する調整ねじと、上記調整ブロックを水平方向に貫通すると共に係合ピンと夫々係合して、調整ブロックの上下動に伴って調整枠をトロヨケの深さ方向に駆動するカム孔とを有することを特徴とする両開扉錠のストライク。
【発明の詳細な説明】
【技術分野】
【０００１】
この発明は、所謂観音開き扉と称される両開扉のストライク（以下単にストライクという）に係り、特に、親扉と子扉との間のチリ（隙間）の調整量を長期間安定に保つことができるストライクに関する。
【背景技術】
【０００２】
本出願人は、先に、下記特許文献１を以て、新規な両開扉の子扉の自動係止装置（両開扉錠：ラッチ装置）を提案した。
【０００３】
この両開扉錠は、図１に示すように、子扉側に装着された両開扉錠１に夫々水平面内で回転するメインラッチ２及びサブラッチ３を設け、例えば戸当りによって閉鎖位置に置かれた子扉に対し親扉を閉鎖すると、その自由側端縁に装着されたストライク４が上記メインラッチ２及びサブラッチ３と係合し、これらを両開扉錠１内に押込む。
【０００４】
すると、メインラッチ２及びサブラッチ３の動きは、揺動レバー５を介してデッド杆６及び作動杆７に伝達され、デッド杆６の外端に回動可能に装着された係合シュー８を例えば床面に開口したストライク孔９に投入して子扉を床面に係止する。なお、図１において符号１１及び１２は、本発明と関係がないので説明を省略するラッチ解除制御部材である。
【特許文献１】特願２００６−１４８３８０
【発明の開示】
【発明が解決しようとする課題】
【０００５】
この発明は、上記ストライク４の構造に係るものであり、子扉と親扉とのチリを調節してメインラッチ２及びサブラッチ３の回動量を調節すると共に、そのチリの調整量を長期間に渡って安定に保持できるストライクを提供することを目的としている。
【課題を解決するための手段】
【０００６】
上記の目的を達成するため、この発明は、一面が開口した縦長の箱状体で、その開口を子扉側に向けて親扉の自由側端縁部に埋設されたトロヨケと、このトロヨケの開口を覆うように親扉の自由側端縁部に装着された板状体で、その両端部に夫々出し入れ孔を開口させると共に、これら一対の出し入れ孔の間の部分に縦長のねじ孔を開口させたストライク板と、一面が開口し、その開口をトロヨケの底面に向けてトロヨケ内に収納された箱状の枠体で、その背面中央部を切欠き、その切欠部の上下の開口端縁を内側に切り起こして一対の係止板を形成すると共に、この係止板の上下の箱状の部分をストライクの出し入れ孔から出没できるように各部の寸法を設定し、また、上記係止板の上下の箱状の部分の外面を両開扉錠の可動接触子との当接面とした調整枠と、この調整枠の上下の部分を水平に貫通するようにして、調整枠の側板間に架設された一対の係合ピンと、上記調整枠の内側に収納された縦長のブロック体で、外面側に上記係止板と係合する複数対の段部をトロヨケの深さ方向の寸法を違えて形成すると共に、上下方向における中央部にトロヨケの深さ方向に延在する雌ねじ孔を形成した調整ブロックと、ストライク板のねじ孔を挿通して調整ブロックの雌ねじ孔に螺合する調整ねじと、上記調整ブロックを水平方向に貫通すると共に係合ピンと夫々係合して、調整ブロックの上下動に伴って調整枠をトロヨケの深さ方向に駆動するカム孔とを有することを特徴とする。
【発明の効果】
【０００７】
上記のように構成された請求項１に記載の発明は、調整ねじを弛め、調整ブロックとストライク板との結合を解いた後、調整ねじを介して調整ブロックを上下に動かすことにより、簡単に係止板と調整ブロックの段部との組合わせを変えられるので、チリの調整を段階的にかつ簡単に調節できる。
【０００８】
また、親、子扉の閉鎖時、両開扉錠の可動接触子から調整枠の当接面に印加される反力は、調整枠の係止板と調整ブロックの段部との係合、及び、調整枠の係合ピンと調整ブロックのカム孔との係合を介して分散した状態で調整ブロックに担持される。
【０００９】
そして、この調整ブロックは、調整ねじを介してストライク板に、或いはストライク板及びトロヨケにバックアップされるので、ストライクとしての機能を充分発揮できることは勿論、調整ねじを弛めない限り調整ブロックと調整枠の結合が強固に保た、チリの調整量を長期間にわたって安定に保持できる、等種々の効果を奏する。
【発明を実施するための最良の形態】
【００１０】
ストライク板に対し、その厚さ方向に移動可能に支承された調整枠に、当接面とその裏側に向かう一対の係止板を形成し、また、調整枠の内側に包持された調整ブロックに、係止板の端縁と係合する複数対の段部を形成する一方、調整枠を水平に貫通するように調整枠の両側板間に架設された一対の係合ピンと、調整ブロックを水平に貫通する一対のカム孔とを係合させ、他方、調整ブロックを調整ねじによりストライク板の裏面に呼び付けるようにしたので、調整ねじを弛めて調整ブロックを上下させることにより簡単な操作で親扉と子扉との間のチリの調整ができ、また、調整ねじを締め付けることにより、チリの調整量を長期間にわたって安定に保つことができるようになった。
【実施例１】
【００１１】
以下、この発明の一実施例を図面を参照して説明する。
図２乃至図４において符号１３はトロヨケを示し、このトロヨケ１３は、一面が開口した縦長の箱状体で、その上下の開口端縁に一体に接続された取付片１４、１４（図２参照）を介して図示しない親扉の自由側端縁部に埋設されている。
【００１２】
上記親扉の自由側端縁部には、トロヨケ１３の開口を覆うように、縦長の細長い板状体であるストライク板１５が装着されている。
【００１３】
図示の実施例では、例えば図３及び図４から明らかなように、ストライク板１５とトロヨケの取付片１４はかしめにより一体的に結合され、ストライク板及びトロヨケの取付片を共通に貫通する取付ビス１６、１６（図３参照）により親扉の自由側端縁にねじ止めされている。
【００１４】
このストライク板１５の上下の両端部には、図５に示すように、略矩形の出し入れ孔１７、１７が開口している。
【００１５】
また、図５及び図６に示すように、ストライク板１５の上記出し入れ孔１７、１７の間の部分は横断面形状が内側に凸の台形になるように成形されており、その台形の頂面には、縦長のねじ孔１８が開口している。
【００１６】
上記トロヨケ１３とストライク板１５との間の空間には、図７乃至図９に示す形状の調整枠１９がストライク板１５の厚さ方向である前後方向に移動可能に収納されている。
【００１７】
この調整枠１９は、一面が開口し、その開口をトロヨケの底面に向けてトロヨケ内に収納された箱状の枠体で、その背面中央部を切欠き、その切欠部の上下の開口端縁を内側に切り起こして一対の係止板２１、２１（図７及び図８参照）が形成されている。
【００１８】
また、上下一対の係止板２１、２１の上下にも一面（図８で左側の面）が開いた箱状の部分が形成されており、この箱状の部分の底部（図８で右側）の部分が夫々ストライクの出し入れ孔１７から出没できるように各部の寸法が設定されている。
【００１９】
更にまた、出し入れ孔１７から出没できるように構成された調整枠の上下の箱状の部分の外面は、両開扉錠１（図１参照）の可動接触子（図１でメイン及びサブラッチ２、３）との当接面２２となっている。
【００２０】
ちなみに、この発明に係る両開扉錠のストライクは、上記当接面２２の位置を前後方向に調節し、親、子扉間のチリの調整をするものである。
【００２１】
一方、例えば図４に示すように、一対の係合ピン２３、２３が調整枠の上下の部分を水平に貫通するようにして、調整枠の側板間に架設されており、この係合ピン２３、２３は、調整枠１９の内側に包持されるようにしてトロヨケ１３内に収納された調整ブロック２４のカム孔２５に夫々係合している。
【００２２】
上記調整ブロック２４は、図１０及び図１１に示すように、全体の形状が細長い直方体で、その外面側（図１１で右側）の肉を盗んで、前記係止板２１と係合する複数対の段部がトロヨケの深さ方向の寸法を違えて形成されている（図１０参照）。
【００２３】
また、調整ブロックを水平方向に貫通するように形成された上記カム孔２５、２５の夫々は、図１１に示すように、前後方向において位置を違える両端の第１及び第２半円形溝２７、２８、これらの中間の中間段部２９を、平行な平面で接続したもので、前記係合ピン２３と係合する。
【００２４】
そのため、係合ピン２３が第１半円形溝２７と係合しているときには、図４に示すように、調整枠の当接面２２のストライク板１５からの突出量が最も小さくなり、係合ピン２３が中間段部２９と係合しているときには、図１２に示すように、当接面２２が例えばストライク板１５から２ｍｍ突出し、係合ピン２３が第２半円形溝２８と係合しているときには、図１３に示すように、当接面２２のストライク板１５からの突出量が最大になる。
【００２５】
なお、図４、図１２及び図１３に示すように、係合ピン２３がカム孔の第１半円形溝２７、中間端部２９及び第２半円形溝２８に夫々係合しているとき、調整枠の一対の係止板２１、２１は夫々対応する段部２６、２６に係合する。
【００２６】
他方、図１０及び図１４に示すように、調整ブロック２４の外面中央にはトロヨケの深さ方向（前後方向）に延在する雌ねじ孔３１が形成されると共に、調整ブロックの内面も肉を盗まれて軽量化が図られている。
【００２７】
また、上記雌ねじ孔３１には、図３及び図４に示すように、前記ねじ孔１８を挿通した調整ねじ３２の先端部が螺合しており、この調整ねじ３２を締め付けることにより、調整ブロック２４をストライク板１５の裏面に呼び付けるようにして固定することができる。
【００２８】
上記のように構成されたこの発明の一実施例によるストライクは、例えば図３及び図１２に示すように、調整ねじ３２がねじ孔１８の上下方向における中央にあるときには、調整枠１９の一対の係止板２１、２１の端縁は、調整ブロック前面の段部２６、２６の内夫々中央の段部に係合すると共に、調整枠の係合ピン２３、２３は夫々対応するストライク孔の中間段部２９に係合している。
【００２９】
この状態は、調整ねじ３２を締め付けることにより安定に保持され、係止板２１、２１及び係合ピン２３、２３は夫々上下一対で段部２６及びカム孔２５と係合しているため、当接面２２、２２が受ける反力が同じでない場合でも傾斜枠１９が傾くこともなく、安定してストライクとしての機能を果たす。
【００３０】
親、子扉間のチリを調整するときには、調整ねじ３２を緩め調整ブロック２４を自由にした後、チリの大小に応じて図３及び図１２に示す状態から調整ブロックを上昇させ或いは下降させる。
【００３１】
図示の実施例はチリの調整量を段階的に３段階変えることができるように設計されており、例えば図１２の状態から調整ねじ３２をドライバーの先で動かして図４に示すように下降させると、これと一体にカム孔２５、２５も下降し、カム孔２５の中間段部２９（図１１参照）と第１半円形溝２７との間の斜面と係合ピン２３との間に生じる楔作用により、係合ピン２３及びこれと一体の調整枠１９が後方（図１２で左方）に移動すると共に、図４に示すように、係止板２１、２１（図１３参照）が上方の段部２６（図１０参照）に係合するに至る。
【００３２】
これとは反対に、図１２に示す状態から調整ブロックを上昇させると、図１３に示すように調整枠１９の突出量が最大になる。
【図面の簡単な説明】
【００３３】
【図１】この発明の一実施例によるストライクの使用例を示す両開扉錠の一部断面側面図。
【図２】トロヨケの正面図。
【図３】この発明の一実施例によるストライクの正面図。
【図４】その縦断面図で、調整枠がもっとも後退した状態を示す。
【図５】ストライク板の正面図。
【図６】その横断面図。
【図７】調整枠の正面図。
【図８】その縦断面図。
【図９】その横断面図。
【図１０】調整フロックの正面図。
【図１１】調整ブロックの側面図。
【図１２】図４と同様のストライクの縦断面図で、調整枠が一段突出した状態を示す。
【図１３】図４と同様のストライクの縦断面図で、調整枠が最大限突出した状態を示す。
【図１４】調整ブロックの縦断面図。
【符号の説明】
【００３４】
４  ストライク
１３  トロヨケ
１５  ストライク板
１７  出し入れ孔
１８  ねじ孔
１９  調整枠
２１  係止板
２２  当接面
２３  係合ピン
２４  調整ブロック
２５  カム孔
２６  段部
２７  第１半円形溝
２８  第２半円形溝
２９  中間段部
３１  雌ねじ孔
３２  調整ねじ
【図１】
2007327233.tif 000003
【図２】
2007327233.tif 000004
【図３】
2007327233.tif 000005
【図４】
2007327233.tif 000006
【図５】
2007327233.tif 000007
【図６】
2007327233.tif 000008
【図７】
2007327233.tif 000009
【図８】
2007327233.tif 000010
【図９】
2007327233.tif 000011
【図１０】
2007327233.tif 000012
【図１１】
2007327233.tif 000013
【図１２】
2007327233.tif 000014
【図１３】
2007327233.tif 000015
【図１４】
2007327233.tif 000016